(57)【要約】【課題】  本発明の課題は、複数の設備から構成された設備の管理を正確確実に行うための設備管理装置を提供することである。【解決手段】  複数の設備の組み合わせ方を記述した構成情報を含む設備の管理情報を生成して、登録する設備管理情報登録手段と、登録された設備管理情報の中から、所望の設備管理情報を検索する設備管理情報検索手段と、前記検索された設備管理情報に含まれる構成情報を変更する構成情報変更手段と、前記検索された設備管理情報を前記変更された構成情報を含む設備管理情報に更新する設備管理情報更新手段と、登録された設備管理情報を呈示する設備管理情報呈示手段を備えることを特徴とする請求項１に記載の設備管理装置である。【選択図】  図１
2006293884.tif 000002
【特許請求の範囲】
【請求項１】
記憶手段は、複数の設備の組み合わせ方を記述した構成情報を含む設備管理情報が登録されて記憶されていて、
構成情報を含む設備管理情報を生成して、登録する設備管理情報登録手段と、
登録された設備管理情報の中から、所望の設備管理情報を検索する設備管理情報検索手段と、
前記検索された設備管理情報に含まれる構成情報を変更する構成情報変更手段と、
前記検索された設備管理情報に含まれる構成情報を前記変更された設備管理情報に更新する構成情報更新手段と、
を備えることを特徴とする設備管理装置。
【請求項２】
登録された設備管理情報を呈示する設備管理情報呈示手段
を備えることを特徴とする請求項１に記載の設備管理装置。
【請求項３】
設備管理端末装置と設備管理サーバ装置がネットワークで接続された設備管理システムであって、
前記設備管理サーバ装置の記憶手段は、複数の設備の組み合わせ方を記述した構成情報を含む設備管理情報を記憶していて、
前記設備管理端末装置は、
構成情報を含む設備管理情報を生成して、送信する設備管理情報送信手段と、
所望の設備管理情報を検索する検索文字列を送信して、検索結果の設備管理情報を受信する設備管理情報検索要求手段と、
受信した設備管理情報に含まれる構成情報を変更して、送信する設備構成情報変更手段と、
を備えた端末装置であって、
前記設備管理サーバ装置は、
受信した設備管理情報を登録する設備管理情報登録手段と、
受信した検索文字列をキーにして、登録された設備管理情報を参照して、所望の設備管理情報を検索して送信する設備管理情報検索手段と、
前記検索された設備管理情報に含まれる構成情報を前記受信した変更された構成情報に更新する設備構成情報更新手段と、
を備えたサーバ装置であることを特徴とする設備管理システム。
【請求項４】
前記設備管理サーバ装置は、
設備管理情報の入力を受け付ける設備管理情報入力画面を呈示する設備管理情報入力画面呈示手段、
を備えたサーバ装置であることを特徴とする請求項３に記載の設備管理システム。
【請求項５】
前記設備管理端末装置は、
登録された設備管理情報のリストを要求して、設備管理情報リストを受信する設備管理情報リスト受信手段と、
を備えた端末装置であって、
前記設備管理サーバ装置は、
設備管理情報のリスト要求を受け付けて、登録された設備管理情報のリストを、提供する設備管理情報リスト呈示手段と、
を備えたサーバ装置であることを特徴とする請求項３、または、請求項４に記載の設備管理システム。
【請求項６】
構成情報を含む設備管理情報を生成して、登録する設備管理情報登録ステップと、
登録された設備管理情報の中から、所望の設備管理情報を検索する設備管理情報検索ステップと、
前記検索された設備管理情報に含まれる構成情報を変更する構成情報変更ステップと、
前記検索された設備管理情報を前記変更された構成情報を含む設備管理情報に更新する設備管理情報更新ステップと、
を含んだ手順でなされることを特徴とする設備管理方法。
【請求項７】
コンピュータに組込むことによって、コンピュータを請求項１から請求項５のいずれか一項に記載の設備管理装置、または、設備管理システムとして動作させるコンピュータプログラムプログラム。
【発明の詳細な説明】
【技術分野】
【０００１】
本発明は、オフィス、工場などに設置している設備を管理する設備管理装置に関するものである。
【背景技術】
【０００２】
従来、オフィスや工場などに設置している設備の管理は、固定資産設備の購入時には、固定資産管理台帳を作成して、固定資産ラベルを設備に、貼って管理していた。そして、使用している設備の現品管理のために、棚卸しする時には、棚卸し担当者が、固定資産管理台帳をもとに、固定資産に添付した固定資産ラベルと照合して、確認を取っていた。一方、リースやレンタルの設備には、リース・レンタル会社が付与した管理番号などを手がかりにして、現品管理を行っていた。
【０００３】
たとえば、特許文献１には、固定資産にバーコードラベルを付与して、棚卸し時にバーコードを読み取ることにより、固定資産を管理する技術が開示されている。（従来技術１）特許文献２には、設備の設置場所から、設備の現品管理する技術が開示されている。（従来技術２）
【特許文献１】特開平０７−３１１８００号公報（２−５ページ、図１−３）
【特許文献２】特開平０７−３０６８７０号公報（２−５ページ、図１−４）
【発明の開示】
【発明が解決しようとする課題】
【０００４】
しかし、前述した従来技術１では、固定資産を管理するが、固定資産以外のリース、レンタル、消耗品設備を管理できないという欠点があった。また、従来技術２では、単体の設備の方法であるために、複数の設備から構成された設備の管理は、出来ないという欠点があった。例えば、コンピュータ本体、モニタ、キーボードの3つの装置から構成されているコンピュータの固定資産は、3つの装置を一つの管理単位として固定資産管理する。その後に、このモニタをレンタルしたモニタに交換して、このモニタを他の設備に移動させると、固定資産の管理構成と設備の設置構成が異なってしまう。このような設備を、棚卸したり、固定資産除却したり、リース、レンタル設備の返却をしたりするときには、固定資産の管理構成と設備の設置構成が異なっているために、該当する設備を探し出すために、非常な手間がかかる。
【０００５】
本発明はこのような従来技術を考慮してなされたものであって、本発明の課題は、複数の設備から構成された設備の管理を正確確実に行うための設備管理装置を提供することである。
【課題を解決するための手段】
【０００６】
本発明は、以下のような解決手段により、前記課題を解決する。すなわち、請求項１に記載の発明は、記憶手段は、複数の設備の組み合わせ方を記述した構成情報を含む設備管理情報が登録されて記憶されていて、構成情報を含む設備管理情報を生成して、登録する設備管理情報登録手段と、登録された設備管理情報の中から、所望の設備管理情報を検索する設備管理情報検索手段と、前記検索された設備管理情報に含まれる構成情報を変更する構成情報変更手段と、前記検索された設備管理情報に含まれる構成情報を前記変更された設備管理情報に更新する構成情報更新手段と、を備えることを特徴とする設備管理装置である。
【０００７】
請求項２に記載の発明は、登録された設備管理情報を呈示する設備管理情報呈示手段を備えることを特徴とする請求項１に記載の設備管理装置である。
【０００８】
請求項３に記載の発明は、設備管理端末装置と設備管理サーバ装置がネットワークで接続された設備管理システムであって、前記設備管理サーバ装置の記憶手段は、複数の設備の組み合わせ方を記述した構成情報を含む設備管理情報を記憶していて、前記設備管理端末装置は、構成情報を含む設備管理情報を生成して、送信する設備管理情報送信手段と、所望の設備管理情報を検索する検索文字列を送信して、検索結果の設備管理情報を受信する設備管理情報検索要求手段と、受信した設備管理情報に含まれる構成情報を変更して、送信する設備構成情報変更手段と、を備えた端末装置であって、前記設備管理サーバ装置は、受信した設備管理情報を登録する設備管理情報登録手段と、受信した検索文字列をキーにして、登録された設備管理情報を参照して、所望の設備管理情報を検索して送信する設備管理情報検索手段と、
前記検索された設備管理情報に含まれる構成情報を前記受信した変更された構成情報に更新する設備構成情報更新手段と、を備えたサーバ装置であることを特徴とする設備管理システムである。
【０００９】
請求項４に記載の発明は、前記設備管理サーバ装置は、設備管理情報の入力を受け付ける設備管理情報入力画面を呈示する設備管理情報入力画面呈示手段を備えたサーバ装置であることを特徴とする請求項３に記載の設備管理システムである。
【００１０】
請求項５に記載の発明は、前記設備管理端末装置は、
登録された設備管理情報のリストを要求して、設備管理情報リストを受信する設備管理情報リスト受信手段と、を備えた端末装置であって、前記設備管理サーバ装置は、設備管理情報のリスト要求を受け付けて、登録された設備管理情報のリストを、提供する設備管理情報リスト呈示手段と、を備えたサーバ装置であることを特徴とする請求項３、または、請求項４に記載の設備管理システムである。
【００１１】
請求項６に記載の発明は、構成情報を含む設備管理情報を生成して、登録する設備管理情報登録ステップと、登録された設備管理情報の中から、所望の設備管理情報を検索する設備管理情報検索ステップと、前記検索された設備管理情報に含まれる構成情報を変更する構成情報変更ステップと、前記検索された設備管理情報を前記変更された構成情報を含む設備管理情報に更新する設備管理情報更新ステップと、を含んだ手順でなされることを特徴とする設備管理方法である。
【００１２】
請求項７に記載の発明は、コンピュータに組込むことによって、コンピュータを請求項１から請求項５のいずれか一項に記載の設備管理装置、または、設備管理システムとして動作させるコンピュータプログラムプログラムである。
【００１３】
設備管理情報に含まれる構成情報が、実際に使用しているの設備構成と一致するように登録・更新・維持されているので、正しい構成の設備管理リストが提供される。
【発明の効果】
【００１４】
本願発明によれば、固定資産設備やリース・レンタル設備や消耗品設備が混在して構成された設備が設備管理されているので、設備の構成を照合する棚卸作業が容易になり、また、廃棄する固定資産設備や返却するリース・レンタル設備を容易に探し出すことができようになり、設備管理の負荷が軽減されることとなる。
【発明を実施するための最良の形態】
【００１５】
（実施事例１）
以下、図面等を参照しながら、本発明の実施の形態について、更に詳しく説明する。まず、はじめに、本発明の設備管理装置の基本構成を説明する。図１は、本発明による設備管理装置を説明する概要図である。設備管理者は、設備が導入設置されるときに、複数の設備の組み合わせ方を記述した構成情報や設備の仕様を記述した設備情報を含んだ設備管理情報（たとえば、設備構成リストに記載された情報）を入力して、設備管理情報管理データベースに登録する。設備構成リストの情報をＤＢに登録する（図１（ア））。設置されている設備の組み合わせ方が変更されたら、設備管理者は、変更された構成情報（たとえば、設備構成変更リストに記載された情報）を入力して、設備管理情報管理データベースを更新する（同（イ））。設備管理者は、設備管理情報管理データベースに登録された設備管理情報を、管理目的に応じて編集された設備管理リストにして、出力する（同（ウ））。
【００１６】
図２は、本発明による設備管理装置の詳細を説明する構成図である。設備管理装置１００は、設備管理情報登録手段１０１と設備管理情報検索手段１０２と設備構成情報変更手段１０３と設備管理情報更新手段１０４と設備管理情報呈示手段１０５と記憶手段１０６を備える。記憶手段１０６は、設備管理情報データベース１０６ａを記憶する。
【００１７】
設備管理装置１００の設備管理情報登録手段１０１は、複数の設備の組み合わせ方を記述した構成情報を含む設備管理情報を生成して、登録する。設備管理情報検索手段１０２は、登録された設備管理情報の中から、所望の設備管理情報を検索する。設備構成情報変更手段１０３は、前記検索された設備管理情報に含まれる構成情報を変更する。設備管理情報更新手段１０４は、前記検索された設備管理情報を前記変更された構成情報を含む設備管理情報に更新する。設備管理情報呈示手段１０５は、登録された設備管理情報を呈示する。
【００１８】
設備管理情報登録手段１０１と設備管理情報検索手段１０２と設備構成情報変更手段１０３と設備管理情報更新手段１０４と設備管理情報呈示手段１０５とは、コンピュータ・プログラムである。記憶手段１０６は、ハードウウェア・メモリーである。設備管理情報データベース１０６ａは、データである。
【００１９】
図３は、設備管理情報データベースの構造図である。設備管理情報データベース１０６ａは、次の６つのテーブルを含んだデータベースである。すなわち、６つのテーブルとは、グループ名テーブル２０１と、設備構成テーブル２０２と、設備名テーブル２０３と、設置場所テーブル２０４と、固定資産テーブル２０５と、リース・レンタル・テーブル２０６とである。グループ名テーブル２０１は、単数、または、複数の設備で構成された設備グループのグループ名称と設備グループの管理目的を記述する。設備グループテーブルは、「グループコード」と「グループ名称」と「管理種別」とから構成されている。「グループコード」は、設備グループを一意に特定するユニークな番号列である。「グループ名称」は、設備グループに付けられた名称である。「管理種別」は、設備グループの管理目的（たとえば、固定資産、リース、レンタル、消耗品、設置）を記述している。ここで、管理種別が「固定資産」のグループコードの設備は、固定資産であることを表している。同様に、管理種別が「リース」のグループコードの設備は、リースであることを表している。管理種別が「消耗品」のグループコードの設備は、消耗品であることを表している。管理種別が「レンタル」のグループコードの設備は、レンタルであることを表している。管理種別が「設置」のグループコードの設備は、設置場所テーブル２０４（後述）に示された場所に設置された設備を表している。
【００２０】
設備構成テーブル２０２は、設備グループを構成する設備を記述する。この設備構成テーブルは、「グループコード」と「設備コード」から構成される。「設備コード」は、設備を一意に特定するユニークな番号列である。「グループコード」は、グループ名テーブル２０１の「グループコード」と同じである。
【００２１】
設備名テーブル２０３は、「設備コード」と、「設備名称」と、「設備仕様」と、「設備型番」とから構成されている。設備名テーブル２０３は、設備構成テーブル２０２から参照される。「設備コード」は、設備構成テーブル２０２の「設備コード」と同じである。
【００２２】
設置場所テーブル２０４は、設備の設置場所の名称を提供する。グループ名テーブル２０１の管理種別が「設置」である場合に参照される。設置場所テーブルは、「グループコード」と「設置場所」と「設置管理者名」から構成される。「グループコード」は、グループ名テーブル２０１の「グループコード」と同じである。
【００２３】
固定資産情報テーブル２０５は、設備グループを構成する個々の設備の固定資産管理情報を記述する。グループ名テーブル２０１の管理種別が「固定資産」である場合に参照される。固定資産情報テーブル２０５は、「グループコード」、「固定資産管理番号」、「購入時期」、「購入業者」、「購入金額」、「償却年数」等の情報から構成される。「グループコード」は、グループ名テーブル２０１の「グループコード」と同じである。
【００２４】
リース、レンタル情報テーブル２０６は、設備グループを構成する個々の設備のリースやレンタル管理情報を記述する。グループ名テーブル２０１の管理種別が、「リース」、または「レンタル」である場合に参照される。リース、レンタル情報テーブル２０６は、「グループコード」、「管理番号」、「賃借時期」、「業者、「賃借総額」等の情報から構成される。「グループコード」は、グループ名テーブル２０１の「グループコード」と同じである。
【００２５】
図４から図７は、購入したパソコンの固定資産管理情報と設置管理情報を含んだ設備管理情報を、設備管理情報データベース１０６ａに登録する例である。図４は、設備管理情報を登録する設備の構成例であり、図５は、構成された設備の設備管理情報データベース１０６ａの内容を記述した例であり、図６は、固定資産管理された設備の設備管理情報データベース１０６ａの内容を記述した例であり、図７は、設備管理情報登録画面の説明図である。
【００２６】
図４において、パソコン本体３０８ｂと液晶モニタ３０８ａで構成されたパソコンは、固定資産名称「ＰＣ３」、設置するときのグループ名称「ＰＣ３号機」、設置場所「オフィスＣ」管理者「大日本次郎」である。また、パソコンを構成するパソコン本体３０８ｂと液晶モニタ３０８ａの設備情報は、それぞれ、設備名称「液晶モニタ」、設備コード「８」と設備名称「パソコン本体３号機」、設備コード「 ７」等である。固定資産情報は、固定資産管理番号「２００４０１−２」、購入時期「２００３年１月」等である。
【００２７】
図５において、設置管理情報に関する設備管理情報データベース１０６ａの各テーブルの登録内容を説明する。たとえば、グループ名テーブル２０１の１つの登録情報２０１ａには、グループ名称「ＰＣ３号機」と管理種別「設置」が登録されて、自動的に設定されたグループコード「１０８」が付加されている。設置場所テーブル２０４の１つの登録情報２０４ａには、設置場所「オフィスＣ」管理者「大日本次郎」が登録されて、自動的に設定されたグループコード「１０８」が付加されている。また、設備構成テーブル２０２の１つの登録情報２０２ａには、グループコード「１０８」の設備コード「７」と「８」が登録されて、自動的に設定されたグループコード「１０８」が付加されている。設備名テーブル２０３ａには、設備名称「パソコン本体３号機」設備コード「７」と「液晶モニタ」設備コード「８」その他が登録されている。
【００２８】
図６において、固定資産管理情報に関する設備管理情報データベース１０６ａの各テーブルの登録内容を説明する。グループ名テーブル２０１の１つの登録情報２０１ｂには、グループ名称「 ＰＣ３」と管理種別「固定資産」が登録されて、自動的に設定されたグループコード「１０７」が付加されている。固定資産情報テーブル２０５の１つの登録情報２０５ｂには、固定資産管理番号「２００４０１−２」、購入時期「２００３年１月」等が登録されて、上述の自動的に設定されたグループコード「１０７」が付加されている。また、設備構成テーブル２０２と、設備名テーブル２０３は、図５と同じである。
【００２９】
図７において、設備管理情報登録画面を説明する。設備管理情報登録画面３０１の種別表示部３０１ａに表示された種別項目（「固定資産」「リース」「レンタル」「消耗品」）を選択する。登録項目表示部３０１ｂには、前記選択された種別項目に応じて、登録項目が表示される。例えば、種別項目から「固定資産」が選択されると、登録項目表示部３０１ｂには、固定資産の登録項目が表示される。設置情報表示部３０１cには、設置場所と管理者の登録項目が表示される。設備項目表示部３０１ｄは、設備の登録項目（たとえば、仕様）が表示される。
【００３０】
図８から図１４は、パソコンの構成を変更するときに、設備管理情報データベース１０６ａに登録されたパソコンの設置管理情報を更新する例である。図８は、構成を変更するパソコンの構成図であり、図９は、更新される設備管理情報データベース１０６ａの内容の例であり、図１０から図１４は、設備管理情報を更新するための検索画面の遷移を説明する図である。
【００３１】
図８において、組み合わせ変更する設備の構成を説明する。パソコン本体１号機（設備コード「１」）を構成する外付けハードディスクを、パソコン本体３号機に移設することを表している。ちなみに、ＰＣ１号機（グループコード「１０４」）は、液晶モニタ（設備コード「２」）とパソコン本体１号機（設備コード「１」）と外付けハードディスク（設備コード「４」）とから構成されて、ＰＣ３号機（グループコード「１０８」）は、液晶モニタ（設備コード「８」）とパソコン本体３号機（設備コード「７」）とから構成される。
【００３２】
図９において、構成を変更する前後の設備構成テーブル２０２の内容を説明する。構成を変更する前の設備構成テーブル２０２には、図８で説明した変更前の設備構成のとおりに、グループコード「１０４」２０２ｄの設備コードは、「１」「２」「４」の３個が存在して、グループコード「１０８」２０２ｅの設備コードは、「７」「８」の２個が存在する。一方、構成を変更して更新された設備構成テーブル２０２には、図８で説明した変更後の設備構成のとおりに、グループコード「１０４」２０２ｆの設備コードは、「１」「２」の２個が存在して、グループコード「１０８」２０２ｇの設備コードは、「４」「７」「８」の３個が存在する。
【００３３】
図１０は、設備検索画面の例である。設備管理者は、設備検索画面３０４において、検索条件（検索対象３０４ａ、種別３０４ｂ）を指定して、検索ボタン３０４ｃを押す。
【００３４】
図１１は、検索結果表示画面の例である。検索結果表示画面３０５は、図１０で、検索ボタン３０４ｃを押した結果を表示している。設備管理者は、検索結果リスト３０５ｂの中から詳細な表示をさせる項目（たとえば、グループコード「１０８」グループ名称「ＰＣ３号機」）を選択して、下部の詳細ボタン３０５ｃを押す。
【００３５】
図１２は、設備構成検索画面の例である。設備構成検索画面３０２は、図１１で、詳細ボタン３０５ｃを押した結果を表示している。設備構成検索画面３０２は、グループ名称や設置場所などの設置情報３０２ａと、グループ名称「ＰＣ３号機」を構成する設備の一覧３０２ｂとが表示されている。つまり、グループコード「１０８」をキーにして、グループ名テーブル２０１と、設備構成テーブル２０２と、設置場所テーブル２０４と、設備名テーブル２０３とを参照して取得した情報が表示されている。ここで、設備管理者は、追加候補ボタン３０２ｃを押す。
【００３６】
図１３は、追加設備検索画面の例である。追加設備検索画面３０３は、図１２で、追加候補ボタン３０２ｃを押した結果を表示している。追加設備検索画面３０３は、追加候補設備一覧３０３ｂが表示されている。設備管理者は、追加すべき設備（たとえば、外付けハードディスク、設備コード「４」）を選択して、追加ボタン３０３ｃを押す。
【００３７】
図１４は、追加変更した設備構成の確認画面の例である。設備構成の確認画面３０２は、図１３で、追加ボタン３０３ｃを押した結果を表示している。追加した結果３０２ｅを表示する。表示された設備構成を設備管理データベースに反映させるには、更新ボタン３０２ｄを押す。更に、追加すべき設備があれば、追加候補ボタン３０２ｃを押す。
【００３８】
図１５は、設備管理装置の動作フローチャートである。
（１）設備管理者は、設備管理情報を登録するか判断する。設備管理情報を登録する場合    は次のステップに進む。設備管理情報を登録しない場合は、ステップ（４）に進む。    （ステップＳ１１）
（２）設備管理情報登録手段１０１は、設備管理情報登録画面３０１を表示させる。（ス    テップＳ１２）
（３）設備管理者が、設備管理情報登録画面３０１の各項目に、設備管理情報を入力して    登録ボタンを押すと、設備管理情報登録手段１０１は、ユニークなグループコードを    生成させて、入力された設備管理情報と組み合わせて、設備管理情報データベース１    ０６ａの各テーブルに登録する。（ステップＳ１３）
（４）設備管理者は、設備の構成情報の変更をするか判断する。構成情報を変更する場合    は次のステップに進む。構成情報を変更しない場合は、ステップ（９）に進む。（ス    テップＳ２１）
（５）設備管理情報更新手段１０４は、設備管理情報検索画面３０４を表示する。（ステ    ップＳ２２）
（６）図１０で説明したとおり、設備管理者が、検索条件（たとえば、と管理種別「設置    」のグループ名を検索する。）を入力して、検索ボタン３０４ｃを押すと、設備管理    情報検索手段１０２は、入力された検索条件：管理種別「設置」をキーにして、グル    ープ名テーブル２０１の管理種別を参照参照して、管理種別が「設置」であるグルー    プ名を検索して取得して、表示する。その後、図１１と図１２で説明したとおり、設    備管理者の操作に応じて、設備管理情報検索手段１０２は、選択されたグループコー    ドをキーにして、グループ名テーブル２０１と、設備構成テーブル２０２と、設置場    所テーブル２０４と、設備名テーブル２０３とを参照して、情報を取得して表示させ    る。（ステップＳ２３）
（７）図１３と図１４で説明したとおり、設備管理者が、検索した設備管理情報の組み合    わせ構成を変更すると、設備構成情報変更手段１０３は、検索された設備管理情報の    構成情報を変更させて、表示する。（ステップＳ２４）
（８）図１４で説明したとおり、設備管理者が、更新ボタン３０６ｂを押すと、設備管理    情報更新手段１０４は、変更された構成情報を含む設備管理情報で、設備管理情報デ    ータベースを更新する。（ステップＳ２５）
（９）設備管理者は、設備管理リストを作成するか判断する。設備管理リストを作成する    場合は次のステップに進む。設備管理リストを作成しない場合は、終了する。（ステ    ップＳ３１）
（１０）設備管理情報データベースの設備管理情報から設備管理リスト（たとえば、リー    ス会社別設置場所リスト、償却年数別固定資産リスト、設備設置場所リスト）を作成    して出力して、終了する。（ステップＳ３２）
【００３９】
なお、設備情報が設備管理データベース１０６ａに登録されると、出力された設備管理リストを利用して、割り当てられた設備コードとグループコードとグループ名称を、シールに印刷して、該当する設備に添付して管理する。
【００４０】
（実施事例２）
図１６は、本発明による設備管理システムを説明する概要図である。設備管理者は、設備が導入設置されるときに、複数の設備の組み合わせ方を記述した構成情報や設備の仕様を記述した設備情報を含んだ設備管理情報（たとえば、設備構成リストに記載された情報）を、設備管理端末装置６００に、入力して、送信する（図１（ア））。設備管理サーバ装置７００は、受信した設備管理情報を情報管理データベースに登録する（同（イ））。設置されている設備の組み合わせ方が変更されたら、設備管理者は、変更された構成情報（たとえば、設備構成変更リストに記載された情報）を、設備管理端末装置６００に、入力して、送信する（同（ウ））。設備管理サーバ装置７００は、変更された構成情報を受信して、設備管理情報管理データベースを更新する（同（エ））。設備管理端末装置６００は、設備管理リストを要求する（同（オ））。設備管理サーバ装置７００は、情報管理データベースの設備管理情報から設備管理リストを作成して送信する（同（カ））。設備管理端末装置６００は、設備管理リストを受信する（同（キ））。
【００４１】
図１７は、設備管理端末装置と設備管理サーバ装置がネットワークで接続された設備管理システムの詳細を説明する構成図である。設備管理端末装置６００は、設備管理情報送信手段６０１と設備管理情報検索要求手段６０２と設備構成情報変更手段６０３と設備管理リスト受信手段６０４とを備える。設備管理サーバ装置７００は、設備管理情報入力画面送信手段７０１と設備管理情報登録手段７０２と設備管理情報検索手段７０３と設備構成情報更新手段７０４と設備管理リスト送信手段７０５と記憶手段７０６とを備える。記憶手段７０６は、設備管理情報データベース１０６ａを記憶する。
【００４２】
設備管理情報送信手段６０１は、受信した設備管理情報入力画面を表示して、設備管理情報入力画面に入力された情報から、構成情報を含む設備管理情報を生成して、送信する。設備管理情報検索要求手段６０２は、所望の設備管理情報を検索する検索文字列を送信して、検索結果の設備管理情報を受信する。構成情報変更手段６０３は、受信した設備管理情報に含まれる構成情報を変更して、送信する。設備管理リスト受信手段６０４は、登録された設備管理情報のリストを要求して、設備管理情報リストを受信する。
【００４３】
設備管理情報入力画面送信手段７０１は、設備管理情報の入力を受け付ける設備管理情報入力画面を送信する。設備管理情報登録手段７０２は、受信した設備管理情報を登録する。設備管理情報検索手段７０３は、受信した検索文字列をキーにして、登録された設備管理情報を参照して、所望の設備管理情報を検索して送信する。設備構成情報更新手段７０４は、前記検索された設備管理情報に含まれる構成情報を前記受信した変更された構成情報に更新する。設備管理リスト呈示手段７０５は、設備管理情報のリスト要求を受け付けて、登録された設備管理情報からの設備管理リストを作成して、提供する。
【００４４】
設備管理情報データベース１０６ａは、図３の設備管理情報データベースと同じである。
【００４５】
設備管理情報送信手段６０１と設備管理情報検索要求手段６０２と設備構成情報変更手段６０３と設備管理リスト受信手段６０４と設備管理情報入力画面送信手段７０１と設備管理情報登録手段７０２と設備管理情報検索手段７０３と設備構成情報更新手段７０４と設備管理リスト呈示手段７０５とは、コンピュータ・プログラムである。記憶手段７０６は、ハードウウェア・メモリーである。設備管理情報データベース１０６ａは、データである。
【００４６】
図１８は、設備管理システムの動作フローチャートである。
（１）設備管理者は、設備管理情報を登録するか判断する。設備管理情報を登録する場合    は次のステップに進む。設備管理情報を登録しない場合は、ステップ（４）に進む。    （ステップＳ５１）
（２）設備管理サーバ装置７００の設備管理情報入力画面送信手段７０１は、設備管理情    報登録画面３０１を送信して、設備管理端末装置６００の設備管理情報送信手段６０    １は、受信した設備管理情報登録画面３０１を表示する。（ステップＳ５２）
（３）設備管理者が、表示された設備管理情報登録画面３０１の各項目に、設備管理情報    を入力して登録ボタンを押すと、設備管理情報送信手段６０１は、入力された設備管    理情報を送信する。設備管理サーバ装置７００の設備管理情報登録手段７０２は、設    備管理情報を受信して、ユニークなグループコードを生成させて、受信した設備管理    情報と組み合わせて、設備管理情報データベース１０６ａの各テーブルに登録する。    （ステップＳ５３）
（４）設備管理者は、設備の構成情報の変更をするか判断する。構成情報を変更する場合    は、設備管理情報検索画面の送信を要求して、次のステップに進む。構成情報を変更    しない場合は、ステップ（９）に進む。（ステップＳ６１）
（５）設備管理サーバ装置７００は、設備管理情報検索画面を送信して、設備管理端末装    置６００の設備管理情報更新手段１０４は、設備管理情報検索画面３０４を表示する    。（ステップＳ６２）
（６）設備管理情報更新手段１０４は、入力された検索条件を送信して、設備管理サーバ    装置７００の設備管理情報検索手段７０３は、設備管理情報データベース１０６ａを    検索して、検索した構成情報を返信する。（ステップＳ６３）
（７）設備管理端末装置６００の設備構成情報手段６０３は、検索した構成情報を受信し    て、表示させて、変更させて、変更された構成情報を送信する。（ステップＳ６４）    
（８）設備管理サーバ装置７００の設備構成情報変更手段７０４は、変更された構成情報    を受信して、設備管理情報データベースの構成情報を更新する。（ステップＳ６５）    
（９）設備管理者は、設備管理リストを作成するか判断する。設備管理リストを作成する    場合は次のステップに進む。設備管理リストを作成しない場合は、終了する。（ステ    ップＳ７１）
（１０）設備管理端末装置６００の設備管理リスト受信手段６０４は、設備管理リスト（    たとえば、リース会社別設置場所リスト、償却年数別固定資産リスト、設備設置場所    リスト）の送信を要求して、設備管理サーバ装置７００の設備管理リスト呈示手段７    ０５は、設備管理情報データベースの設備管理情報から設備管理リストを作成して送    信して、終了する。設備管理端末装置６００の設備管理リスト受信手段６０４は、設    備管理リストを受信して、終了する。（ステップＳ７２）
【００４７】
なお、設備管理情報登録画面３０１は、設備管理端末装置６００が予め保持していて、設備管理サーバ装置７００から送信しなくてもよい。また、設備管理端末装置６００で行われる操作は、設備管理装置１００で行われる操作と全く同じであるので、設備管理端末装置６００に表示される入力画面や各種の検索画面は、それぞれ、図７の画面や、図１０から図１４の画面と同じである。
【００４８】
このようにして、固定資産設備やリース・レンタル設備や消耗品設備が混在して構成された設備が設備管理されているので、設備の構成を照合する棚卸作業が容易になり、また、廃棄固定資産設備やリース・レンタル返却設備を容易に探し出すことができようになり、設備管理の負荷が軽減されることとなった。
【００４９】
以上詳しく説明したように、本発明によれば、複数の設備から構成された設備の管理を正確確実に行うための設備管理装置を提供することができた。
【図面の簡単な説明】
【００５０】
【図１】設備管理装置の概要
【図２】設備管理装置の構成図
【図３】本発明による設備管理情報データベースの構造図
【図４】設備管理情報を登録する設備の構成図の例
【図５】構成された設備の設備管理情報データベースの例
【図６】固定資産設備の設備管理情報データベースの例
【図７】設備管理情報登録画面の説明図
【図８】構成を変更する設備の構成図の例
【図９】構成の変更に伴う設備構成テーブル更新の例
【図１０】検索条件入力画面の例
【図１１】設備検索結果の表示画面の例
【図１２】設備構成の表示画面の例
【図１３】追加する設備の選択画面の例
【図１４】変更した設備構成の表示画面の例
【図１５】設備管理装置の動作フローチャート
【図１６】設備管理システムの概要
【図１７】設備管理システムの構成図
【図１８】設備管理システムの動作フローチャート
【符号の説明】
【００５１】
１００  設備管理装置
１０１  設備管理情報登録手段
１０２  設備管理情報検索手段
１０３  設備構成情報変更手段
１０４  設備管理情報更新手段
１０５  設備管理情報呈示手段
１０６  記憶手段
１０６ａ  設備管理情報データベース
２０１  グループ名テーブル
２０２  設備構成テーブル
２０３  設備名テーブル
２０４  設置場所テーブル
２０５  固定資産テーブル
２０６  リース・レンタル・テーブル
３０１  設備管理情報登録画面
３０１ａ  種別表示部
３０１ｂ  登録項目表示部
３０１c  設置情報表示部
３０１ｄ  設備項目表示部
３０２  設備構成検索画面
３０２ａ  設置情報
３０２ｂ  構成設備一覧
３０２ｃ  追加候補ボタン
３０２ｄ  更新ボタン
３０３  追加設備検索画面
３０３ｂ  追加候補設備の一覧
３０３ｃ  追加ボタン
３０４  設備検索画面
３０４ｃ  検索ボタン
３０５ｂ  検索結果リスト
３０５ｃ  詳細ボタン
６００  設備管理端末装置
６０１  設備管理情報送信手段
６０２  設備管理情報検索要求手段
６０３  設備構成情報変更手段
６０４  設備管理リスト受信手段
７００  設備管理サーバ装置
７０１  設備管理情報入力画面送信手段
７０２  設備管理情報登録手段
７０３  設備管理情報検索手段
７０４  設備構成情報更新手段
７０５  設備管理リスト呈示手段
７０６  記憶手段
【図１】
2006293884.tif 000003
【図２】
2006293884.tif 000004
【図３】
2006293884.tif 000005
【図４】
2006293884.tif 000006
【図５】
2006293884.tif 000007
【図６】
2006293884.tif 000008
【図７】
2006293884.tif 000009
【図８】
2006293884.tif 000010
【図９】
2006293884.tif 000011
【図１０】
2006293884.tif 000012
【図１１】
2006293884.tif 000013
【図１２】
2006293884.tif 000014
【図１３】
2006293884.tif 000015
【図１４】
2006293884.tif 000016
【図１５】
2006293884.tif 000017
【図１６】
2006293884.tif 000018
【図１７】
2006293884.tif 000019
【図１８】
2006293884.tif 000020